(57)【要約】特に疎水変性及び／又は親水変性ポリアスパルテート誘導体、何よりも特に疎水及び親水双方で変性されたポリアスパルテート誘導体、洗剤組成物、特にかかる洗剤組成物と接触する布地の洗浄性、分散性、特に汚れ分散性、ビルダー特性及び／又は改善された増白化を与える洗濯用洗剤組成物に用いるためのポリアスパルテート誘導体、並びにかかるポリアスパルテート誘導体を製造する方法、並びにかかる洗剤組成物を用いる方法及び物品が提供される。【特許請求の範囲】
【請求項１】
少なくとも１つのアスパルトアミド部分、並びにアスパルテート部分及び／又はスクシンイミド部分の少なくとも１つ、並びに任意選択的にジアミン、二酸、アミノ酸及びこれらの混合物から成る群から選択される追加部分を含む、ポリアスパルテート誘導体。
【請求項２】
前記ポリアスパルテートが次の式：
【化１】
2004537627.tif 000010
式中：
ｘ＋ｙ＋ｚはその合計が４〜７３０の範囲となる値を有し、ｙは少なくとも１であり；
ＭはＮａ又はＫのようなアルカリ金属、又はアンモニウム陽イオンであり；
Ｒ１及びＲ２は独立して次から成る群から選択される：Ｈ、Ｃ１〜Ｃ２２直鎖又は分枝鎖アルキル、Ｃ２〜Ｃ２２不飽和アルキル、Ｃ６〜Ｃ１２アリール、Ｃ７〜Ｃ２４アラルキル又はアルカリール、糖、スルホアルキル、ジスルホアルキル、スルホアリール、スルフィノアルキル、スルホネート基及びスルフィネート基の双方で置換されたアルキル、−（（ＣＨ２）１〜１８Ｏ）０〜１−（ＣＨ２ＣＨ（Ｒ３）Ｏ）１〜５０−Ｒ４；−（（ＣＨ２）１〜１８Ｏ）０〜１−（ＣＨ（Ｒ３）ＣＨ２Ｏ）１〜５０−Ｒ４；−（ＣＨ２）１〜１８−（ＯＣＨ２ＣＨ（Ｒ３））０〜４０−ＮＲ５Ｒ６及び−（ＣＨ２）１〜１８−（ＯＣＨ２ＣＨ（Ｒ３））０〜４０−ＮＲ５Ｒ６Ｒ７（式中、Ｒ３はＨ又はＣ１〜Ｃ４アルキルであり、Ｒ４はＲ１及びＲ２で定義されたものと同一の基から選択され、Ｒ５、Ｒ６及びＲ７はＨ、Ｃ１〜Ｃ１８アルキル、Ｃ６〜Ｃ１２アリール、Ｃ７〜Ｃ２４アルカリール又はアラルキル、糖、スルホアルキル、ジスルホアルキル、スルホアリール、スルフィノアルキル、及びスルホネート基及びスルフィネート基の双方で置換されたアルキルから成る群から選択される）；任意選択的にＲ１及びＲ２は共に環状構造を形成することができ、このような環状基の非限定例は−（ＣＨ２）５−又は−（ＣＨ２）２−Ｏ−（ＣＨ２）２−基であり；並びに
Ｒ８はＲ１及びＲ２で定義された同一の基から選択される;
を有する、請求項１に記載のポリアスパルテート誘導体。
【請求項３】
前記ポリアスパルテート誘導体が次の式：
【化２】
2004537627.tif 000011
式中：
ｘ＋ｙ＋ｚ＋ｍ＋ｎ＋ｏ＋ｐ＋ｑはその合計が４〜７３０の範囲となる値を有し、ｙは少なくとも１であり、ｐは０又は１に限定され；さらにｐが０のときｑは０であり；
ＭはＮａ又はＫのようなアルカリ金属、又はアンモニウム陽イオンであり；
Ｒ１及びＲ２は独立して次から成る群から選択される：Ｈ、Ｃ１〜Ｃ２２直鎖又は分枝鎖アルキル、Ｃ２〜Ｃ２２不飽和アルキル、Ｃ６〜Ｃ１２アリール、Ｃ７〜Ｃ２４アラルキル又はアルカリール、糖、スルホアルキル、ジスルホアルキル、スルホアリール、スルフィノアルキル、スルホネート基及びスルフィネート基の双方で置換されたアルキル、−（（ＣＨ２）１〜１８Ｏ）０〜１−（ＣＨ２ＣＨ（Ｒ３）Ｏ）１〜５０−Ｒ４；−（（ＣＨ２）１〜１８Ｏ）０〜１−（ＣＨ（Ｒ３）ＣＨ２Ｏ）１〜５０−Ｒ４；−（ＣＨ２）１〜１８−（ＯＣＨ２ＣＨ（Ｒ３））０〜４０−ＮＲ５Ｒ６及び−（ＣＨ２）１〜１８−（ＯＣＨ２ＣＨ（Ｒ３））０〜４０−ＮＲ５Ｒ６Ｒ７（式中、Ｒ３はＨ又はＣ１〜Ｃ４アルキルであり、Ｒ４はＲ１及びＲ２で定義されたものと同一の基から選択され、Ｒ５、Ｒ６及びＲ７はＨ、Ｃ１〜Ｃ１８アルキル、Ｃ６〜Ｃ１２アリール、Ｃ７〜Ｃ２４アルカリール又はアラルキル、糖、スルホアルキル、ジスルホアルキル、スルホアリール、スルフィノアルキル、及びスルホネート基及びスルフィネート基の双方で置換されたアルキルから成る群から選択される）；任意選択的にＲ１及びＲ２は共に環状構造を形成でき、このような環状基の非限定例は−（ＣＨ２）５−又は−（ＣＨ２）２−Ｏ−（ＣＨ２）２−基であり；
Ｒ８はＲ１及びＲ２で定義された同一の基から選択され；
Ｒ９及びＲ１１は置換、好ましくはヒドロキシ−もしくはカルボキシ−置換又は非置換直鎖及び分枝Ｃ１〜Ｃ１６アルキレン及び／又はＣ６〜Ｃ１０アリーレン、Ｃ７〜Ｃ１２アルカリーレン及びポリオキシアルキレンから独立して選択され；
Ｒ１０はＨ、Ｃ１〜Ｃ６アルキル、Ｃ２〜Ｃ６ヒドロキシアルキルから選択され；
Ｒ１２はＣ１〜Ｃ１２アルキレン、カルボキシ置換Ｃ３〜Ｃ１０アルキレンから選択され；
Ｒ１３は：
【化３】
2004537627.tif 000012
であり、式中、Ｒ１、Ｒ２、Ｒ８、Ｒ９、Ｒ１０、Ｒ１１、Ｒ１２及びｍ、ｎ、ｏ、ｘ、ｙ及びｚは上記で記載される通りである；
を有する、請求項１に記載のポリアスパルテート誘導体。
【請求項４】
前記ポリアスパルテート誘導体が次の式：
【化４】
2004537627.tif 000013
式中：
ｘ＋ｙ＋ｙ’＋ｚ及びｒ＋ｓ＋ｓ’＋ｔは、その合計が４〜７３０の範囲となる値を有し、ｙ’及びｓ’は≧１であり；
ＭはＮａ又はＫのようなアルカリ金属、又はアンモニウム陽イオンであり；
Ｒ１及びＲ２は独立して次から成る群から選択される：Ｈ、Ｃ１〜Ｃ２２直鎖又は分枝鎖アルキル、Ｃ２〜Ｃ２２不飽和アルキル、Ｃ６〜Ｃ１２アリール、Ｃ７〜Ｃ２４アラルキル又はアルカリール、糖、スルホアルキル、ジスルホアルキル、スルホアリール、スルフィノアルキル、スルホネート基及びスルフィネート基の双方で置換されたアルキル、−（（ＣＨ２）１〜１８Ｏ）０〜１−（ＣＨ２ＣＨ（Ｒ３）Ｏ）１〜５０−Ｒ４；−（（ＣＨ２）１〜１８Ｏ）０〜１−（ＣＨ（Ｒ３）ＣＨ２Ｏ）１〜５０−Ｒ４；（ＣＨ２）１〜１８−（ＯＣＨ２ＣＨ（Ｒ３））０〜４０−ＮＲ５Ｒ６及び−（ＣＨ２）１〜１８−（ＯＣＨ２ＣＨ（Ｒ３））０〜４０−ＮＲ５Ｒ６Ｒ７（式中、Ｒ３はＨ又はＣ１〜Ｃ４アルキルであり、Ｒ４はＲ１及びＲ２で定義されたものと同一の基から選択され、Ｒ５、Ｒ６及びＲ７はＨ、Ｃ１〜Ｃ１８アルキル、Ｃ６〜Ｃ１２アリール、Ｃ７〜Ｃ２４アルカリール又はアラルキル、糖、スルホアルキル、ジスルホアルキル、スルホアリール、スルフィノアルキル、及びスルホネート基及びスルフィネート基の双方で置換されたアルキルから成る群から選択される）；任意選択的にＲ１及びＲ２は共に環状構造を形成でき、このような環状基の非限定例は−（ＣＨ２）５−又は−（ＣＨ２）２−Ｏ−（ＣＨ２）２−基である；
Ｒ８はＲ１及びＲ２で定義された同一の基から選択される；並びに
Ｒ１５はＣ１〜Ｃ１８アルキレン、Ｃ６〜Ｃ１２アリーレン、
−（ＣＨ２）１〜１８−Ｏ（ＣＨ２ＣＨ（Ｒ３）Ｏ）１〜５０−（ＣＨ２）１〜１８−、−（ＣＨ２ＣＨ（Ｒ３）Ｏ）１〜５０−（ＣＨ２ＣＨ（Ｒ３））−、及び−（ＣＨ（Ｒ３）ＣＨ２Ｏ）１〜５０−（ＣＨ２ＣＨ（Ｒ３））（式中、Ｒ３はＨ又はＣ１〜Ｃ４アルキルである）から成る群から選択される；
を有する架橋オリゴマー又はポリマーの形態である、請求項１に記載のポリアスパルテート誘導体。
【請求項５】
前記ポリアスパルテート誘導体が次の式：
【化５】
2004537627.tif 000014
ｘ＋ｙ＋ｙ’＋ｚ＋ｍ＋ｎ＋ｏ＋ｐ＋ｑ＋ｒ＋ｓ＋ｓ’＋ｔはその合計が４〜７３０の範囲となる値を有し、ｙ’及びｓ’は少なくとも１であり、ｐは０又は１に限定され；さらにｐが０のときｑは０であり；
ＭはＮａ又はＫのようなアルカリ金属、又はアンモニウム陽イオンであり；
Ｒ１及びＲ２は独立して次から成る群から選択される：Ｈ、Ｃ１〜Ｃ２２直鎖又は分枝鎖アルキル、Ｃ２〜Ｃ２２不飽和アルキル、Ｃ６〜Ｃ１２アリール、Ｃ７〜Ｃ２４アラルキル又はアルカリール、糖、スルホアルキル、ジスルホアルキル、スルホアリール、スルフィノアルキル、スルホネート基及びスルフィネート基の双方で置換されたアルキル、−（（ＣＨ２）１〜１８Ｏ）０〜１−（ＣＨ２ＣＨ（Ｒ３）Ｏ）１〜５０−Ｒ４；−（（ＣＨ２）１〜１８Ｏ）０〜１−（ＣＨ（Ｒ３）ＣＨ２Ｏ）１〜５０−Ｒ４；−（ＣＨ２）１〜１８−（ＯＣＨ２ＣＨ（Ｒ３））０〜４０−ＮＲ５Ｒ６及び−（ＣＨ２）１〜１８−（ＯＣＨ２ＣＨ（Ｒ３））０〜４０−ＮＲ５Ｒ６Ｒ７（式中、Ｒ３はＨ又はＣ１〜Ｃ４アルキルであり、Ｒ４はＲ１及びＲ２で定義されたものと同一の基から選択され、Ｒ５、Ｒ６及びＲ７はＨ、Ｃ１〜Ｃ１８アルキル、Ｃ６〜Ｃ１２アリール、Ｃ７〜Ｃ２４アルカリール又はアラルキル、糖、スルホアルキル、ジスルホアルキル、スルホアリール、スルフィノアルキル、及びスルホネート基及びスルフィネート基の双方で置換されたアルキルから成る群から選択される）；任意選択的にＲ１及びＲ２は共に環状構造を形成でき、このような環状基の非限定例は−（ＣＨ２）５−又は−（ＣＨ２）２−Ｏ−（ＣＨ２）２−基であり；
Ｒ８はＲ１及びＲ２で定義された同一の基から選択され；
Ｒ９及びＲ１１は、置換、好ましくはヒドロキシ−又はカルボキシ−置換又は非置換、直鎖及び分枝鎖Ｃ１〜Ｃ１６アルキレン及び／又はＣ６〜Ｃ１０アリーレン、Ｃ７〜Ｃ１２アルカリーレン及びポリオキシアルキレンから独立して選択され；
Ｒ１０はＨ、Ｃ１〜Ｃ６アルキル、Ｃ２〜Ｃ６ヒドロキシアルキルから選択され；
Ｒ１２はＣ１〜Ｃ１２アルキレン、カルボキシ置換Ｃ３〜Ｃ１０アルキレンから選択され；
Ｒ１５はＣ１〜Ｃ１８アルキレン、Ｃ６〜Ｃ１２アリーレン、
−（ＣＨ２）１〜１８−Ｏ（ＣＨ２ＣＨ（Ｒ３）Ｏ）１〜５０−（ＣＨ２）１〜１８−、−（ＣＨ２ＣＨ（Ｒ３）Ｏ）１〜５０−（ＣＨ２ＣＨ（Ｒ３））−、及び−（ＣＨ（Ｒ３）ＣＨ２Ｏ）１〜５０−（ＣＨ２ＣＨ（Ｒ３））（式中、Ｒ３はＨ又はＣ１〜Ｃ４アルキルである）から成る群から選択される。
Ｒ１３は：
【化６】
2004537627.tif 000015
であり、式中、Ｒ１、Ｒ２、Ｒ８、Ｒ９、Ｒ１０、Ｒ１１、Ｒ１２及びｍ、ｎ、ｏ、ｘ、ｙ及びｚは上記で記載される通りである；
を有する架橋オリゴマー又はポリマーの形態である、請求項１に記載のポリアスパルテート誘導体。
【請求項６】
ポリスクシンイミド又はポリスクシンイミド源と、疎水性であるか又は後で疎水性に変性できる一級又は二級アミン材料及び／又は親水性であるか又は後で親水性に変性できる一級又は二級アミン材料とを混合してポリアスパルテート誘導体を製造する工程を含む、ポリアスパルテート誘導体を製造する方法。
【請求項７】
請求項６に記載の方法によって製造される、ポリアスパルテート誘導体。
【請求項８】
ポリアスパルテート誘導体を含む、洗剤組成物。
【請求項９】
請求項１に記載のポリアスパルテート誘導体を含む、洗剤組成物。
【請求項１０】
請求項８に記載のポリアスパルテート誘導体を含む、洗剤組成物。
【請求項１１】
布地物品を処理する方法であって、前記布地物品が処理されるように前記布地物品をポリアスパルテート誘導体と接触させることを含む、方法。
【請求項１２】
請求項１１に記載の方法によって処理された、布地物品。
【請求項１３】
（ａ）約１重量％〜約８０重量％の、少なくとも１つの陰イオン性、非イオン性、陽イオン性、両性又は双極性界面活性剤及びこれらの混合物；
（ｂ）約０．００１重量％〜約５０重量％のポリアスパルテート誘導体；並びに
（ｃ）残部の添加成分；
を含む、洗濯用洗剤組成物。
【発明の詳細な説明】
【技術分野】
【０００１】
本発明は、洗剤組成物、特にかかる洗剤組成物と接触する布地の洗浄性、分散性（dispersancy）、特に汚れ分散性、ビルダー特性及び／又は改善された増白化を与える洗濯用洗剤組成物に用いるためのポリアスパルテート誘導体、特に疎水変性及び／又は親水変性ポリアスパルテート誘導体、何よりも特に疎水及び親水双方で変性されたポリアスパルテート誘導体；並びにかかるポリアスパルテート誘導体を製造する方法、並びにかかる洗剤組成物を用いる方法及び物品に関する。
【背景技術】
【０００２】
ポリアスパルテート材料は、以前は添加剤として洗剤及び洗浄組成物に使用されていた。しかし従来のポリアスパルテート材料は、配合性、生分解性、及び／又は特に疎水性の粒子状汚れに対する性能に関して問題があった。
【発明の開示】
【発明が解決しようとする課題】
【０００３】
それ故に、改善された配合性、並びに特に疎水性の粒子状汚れに対する改善された性能を有し、良好な生分解性を与える、洗剤及び／又は洗浄組成物に使用できるポリアスパルテート材料が必要とされている。
【課題を解決するための手段】
【０００４】
本発明は、従来のポリアスパルテート材料に比べて改善された配合性及び改善された洗剤組成物性能を有し、並びに良好な生分解性を与えるポリアスパルテート誘導体を提供することにより上記に記載される要求を満たす。
【０００５】
驚くべきことに、本発明のポリアスパルテート誘導体は改善された布地増白外観、及び／又は布地からの改善された染み汚れ放出性、及び／又は洗浄中の粒子状汚れ、特に疎水性の粒子状汚れ（例えば、洗濯プロセス中に布地に容易に付着する疎水性の小さい粒子；非限定例としては：石灰石鹸、カルシウムと錯化した界面活性剤、炭酸カルシウム、カーボンブラック、疎水性分散染料及び顔料、体液と混合した粘土）の良好な分散性、及び／又は金属イオン（例えば、Ｆｅ３＋、Ｃｕ２＋）の良好な封鎖性、及び／又は着色した汚れ（例えば、飲料染み、布地染料）の良好な洗浄／漂白を与えることが見出された。またこの種類のポリマーは良好な生分解性を有し、製品の粘度を顕著に増加させることなく強力液体洗剤用途に使用できる。
【０００６】
さらにポリアスパルテート誘導体の構造に依存して本発明のポリアスパルテート誘導体は他の様式で機能してもよい。例えばポリアスパルテート誘導体が特定のスクシンイミド又はポリスクシンイミド機能を保持する場合、ポリアスパルテート誘導体は、過酸化水素又は過酸化水素源が存在する場合に漂白剤活性化特性を示し得る。
【０００７】
本発明の１つの態様において、少なくとも１つのアスパルトアミド部分、並びにアスパルテート部分及び／又はスクシンイミド部分の少なくとも１つを含むポリアスパルテート誘導体が提供される。
【０００８】
本発明の別の態様では、ポリスクシンイミド又はポリスクシンイミド源と、疎水性又は後で疎水性に変性できる一級又は二級アミン材料及び／又は親水性又は後で親水性に変性できる一級又は二級アミン材料とを混合して、疎水変性ポリアスパルテート誘導体、親水変性ポリアスパルテート誘導体、又は疎水及び親水変性ポリアスパルテート誘導体のいずれかであることのできるポリアスパルテート誘導体を製造する工程を含むポリアスパルテート誘導体の製造方法が提供される。
【０００９】
本発明のさらに別の態様では、ポリアスパルテート誘導体を含む洗剤組成物が提供される。
【００１０】
本発明の一層さらに別の態様では、布地物品が処理されるようにこの布地物品とポリアスパルテート誘導体を接触させる工程を含む布地物品を処理する方法が提供される。
【００１１】
それ故に、本発明は、ポリアスパルテート誘導体、ポリアスパルテート誘導体を製造する方法、ポリアスパルテート誘導体を含む洗剤組成物、及びポリアスパルテート誘導体を用いる布地物品を処理する方法を提供する。
【発明を実施するための最良の形態】
【００１２】
（ポリアスパルテート誘導体）
本発明に従うポリアスパルテート誘導体は、少なくとも１つのアスパルトアミド部分、好ましくはポリアスパルトアミド、並びにアスパルテート部分及び／又はスクシンイミド部分の少なくとも１つ、好ましくはポリアスパルテート部分及び／又はポリスクシンイミド部分の少なくとも１つを含む。追加部分をポリアスパルテート誘導体に組み込むことができる。このような追加部分の非限定例としては、ジアミン、二酸、及びアミノ酸が挙げられる。
【００１３】
本発明のポリアスパルテート誘導体は、いかなる分子量を有していてもよく、好ましくは１００，０００未満、より好ましくは約１００，０００〜約５００の分子量、さらにより好ましくは約７５，０００〜約６００の分子量、なおさらにより好ましくは約５０，０００〜約１，０００、一層さらにより好ましくは約２０，０００〜約１，０００の分子量を有していもよい。
【００１４】
実施形態の１つでは、次の式を有するポリアスパルテート誘導体が提供される：
【化１】
2004537627.tif 000002
式中：
ｘ＋ｙ＋ｚはその合計が４〜７３０の範囲となる値を有し、ｙは少なくとも１である；
ＭはＮａ又はＫのようなアルカリ金属、又はアンモニウム陽イオンである；
Ｒ１及びＲ２は独立して次から成る群から選択される：Ｈ、Ｃ１〜Ｃ２２直鎖又は分枝鎖アルキル、Ｃ２〜Ｃ２２不飽和アルキル、Ｃ６〜Ｃ１２アリール、Ｃ７〜Ｃ２４アラルキル又はアルカリール、糖、スルホアルキル、ジスルホアルキル、スルホアリール、スルフィノアルキル、スルホネート基及びスルフィネート基の双方で置換されたアルキル、−（（ＣＨ２）１〜１８Ｏ）０〜１−（ＣＨ２ＣＨ（Ｒ３）Ｏ）１〜５０−Ｒ４；−（（ＣＨ２）１〜１８Ｏ）０〜１−（ＣＨ（Ｒ３）ＣＨ２Ｏ）１〜５０−Ｒ４；（ＣＨ２）１〜１８−（ＯＣＨ２ＣＨ（Ｒ３））０〜４０−ＮＲ５Ｒ６及び−（ＣＨ２）１〜１８−（ＯＣＨ２ＣＨ（Ｒ３））０〜４０−ＮＲ５Ｒ６Ｒ７（式中、Ｒ３はＨ又はＣ１〜Ｃ４アルキルであり、Ｒ４はＲ１及びＲ２で定義されたものと同一の基から選択され、Ｒ５、Ｒ６及びＲ７はＨ、Ｃ１〜Ｃ１８アルキル、Ｃ６〜Ｃ１２アリール、Ｃ７〜Ｃ２４アルカリール又はアラルキル、糖、スルホアルキル、ジスルホアルキル、スルホアリール、スルフィノアルキル、及びスルホネート基及びスルフィネート基の双方で置換されたアルキルから成る群から選択される）；任意選択的にＲ１及びＲ２は共に環状構造を形成でき、このような環状基の非限定例は−（ＣＨ２）５−又は−（ＣＨ２）２−Ｏ−（ＣＨ２）２−基である；並びに
Ｒ８はＲ１及びＲ２で定義された同一の基から選択される。
【００１５】
ｘ＋ｙ＋ｚの好ましい値は、７〜１４５の範囲である。Ｒ１及びＲ２基の少なくとも１つはＨであり、一方の基は好ましくは水素以外であるのが好ましい。水素以外の基について、Ｒ１及びＲ２は次のものであるのが好ましい：Ｃ４〜１８直鎖又は分枝鎖アルキル、Ｃ３〜１８不飽和アルキル、Ｃ６〜１０アリール、Ｃ７〜１４アラキル（arakyl）又はアルカリール、−（（ＣＨ２）１〜３Ｏ）０〜１−（ＣＨ２ＣＨ（Ｒ３）Ｏ）１〜３５−Ｒ４、又は−（（ＣＨ２）１〜３Ｏ）０〜１−（ＣＨ（Ｒ３）ＣＨ２Ｏ）１〜３５−Ｒ４（式中、Ｒ３は好ましくはＨ又はＣＨ３であり、Ｒ４は好ましくはＨ又はＣ１〜１８アルキル、Ｃ７〜１４アラキル（arakyl）又はアルカリール、スルホアルキル、ジスルホアルキル、又はスルホネート基及びスルフィネート基の双方で置換されたアルキルである）。最も好ましいのはＲ４がＨ又はＣＨ３の場合である。別の実施形態では、Ｒ１又はＲ２が−（ＣＨ２）１〜１８−（ＯＣＨ２ＣＨ（Ｒ３））０〜４０−ＮＲ５Ｒ６又は−（ＣＨ２）１〜１８−（ＯＣＨ２ＣＨ（Ｒ３））０〜４０−ＮＲ５Ｒ６Ｒ７である場合、Ｒ５、Ｒ６及びＲ７はＨ、Ｃ１〜１８アルキル、Ｃ７〜１４アラキル（arakyl）又はアルカリール、スルホアルキル、ジスルホアルキル、又はスルホネート基及びスルフィネート基の双方で置換されたアルキルであるのが好ましい。Ｒ８はＨ、Ｃ１〜４アルキル、又はＣ２〜４ヒドロキシアルキルであるのも好ましい。
【００１６】
第２の実施形態では、本発明のポリアスパルテート誘導体は次の式を有する：
【化２】
2004537627.tif 000003
式中：
ｘ＋ｙ＋ｚ＋ｍ＋ｎ＋ｏ＋ｐ＋ｑはその合計が４〜７３０の範囲となる値を有し、ｙは少なくとも１であり、ｐは０又は１に限定され；さらにｐが０のときｑは０である；
Ｍ、Ｒ１、Ｒ２及びＲ８は上記のように定義される；
Ｒ９及びＲ１１は、置換、好ましくはヒドロキシ−又はカルボキシ−置換又は非置換、直鎖及び分枝鎖Ｃ１〜Ｃ１６アルキレン及び／又はＣ６〜Ｃ１０アリーレン、Ｃ７〜Ｃ１２アルカリーレン及びポリオキシアルキレンから独立して選択される；
Ｒ１０はＨ、Ｃ１〜Ｃ６アルキル、Ｃ２〜Ｃ６ヒドロキシアルキルから選択される；
Ｒ１２はＣ１〜Ｃ１２アルキレン、カルボキシ置換Ｃ３〜Ｃ１０アルキレンから選択される；
Ｒ１３は：
【化３】
2004537627.tif 000004
であり、式中、Ｒ１、Ｒ２、Ｒ８、Ｒ９、Ｒ１０、Ｒ１１、Ｒ１２及びｍ、ｎ、ｏ、ｘ、ｙ及びｚは上記で記載される通りである。
【００１７】
Ｒ１、Ｒ２、Ｒ３、Ｒ４、Ｒ５、Ｒ６、Ｒ７及びＲ８について上記で記載された好ましい実施形態に加えて、Ｒ９及びＲ１１はＣ１〜１２アルキレン、Ｃ６〜１０アリーレン、Ｃ８〜１２アルカリーレン又は分子量が３０００以下のポリオキシアルキレンであるのが好ましい。Ｒ１０は好ましくはＨ又はＣＨ３であり、Ｒ１２はＣ１〜６アルキン又はカルボキシルＣ３〜１０アルキレンである。
【００１８】
もう１つの実施形態では、ポリアスパルテート誘導体は架橋オリゴマー又はポリマー形態、好ましくは次の式を有する形態であってもよい：
【化４】
2004537627.tif 000005
式中：
ｘ＋ｙ＋ｙ’＋ｚ及びｒ＋ｓ＋ｓ’＋ｔは、その合計が４〜７３０の範囲となる値を有し、ｙ’及びｓ’は≧１である；
ＭはＮａ又はＫのようなアルカリ金属、又はアンモニウム陽イオンである；
Ｒ１及びＲ２は独立して次から成る群から選択される：Ｈ、Ｃ１〜Ｃ２２直鎖又は分枝鎖アルキル、Ｃ２〜Ｃ２２不飽和アルキル、Ｃ６〜Ｃ１２アリール、Ｃ７〜Ｃ２４アラルキル又はアルカリール、糖、スルホアルキル、ジスルホアルキル、スルホアリール、スルフィノアルキル、スルホネート基及びスルフィネート基の双方で置換されたアルキル、−（（ＣＨ２）１〜１８Ｏ）０〜１−（ＣＨ２ＣＨ（Ｒ３）Ｏ）１〜５０−Ｒ４；−（（ＣＨ２）１〜１８Ｏ）０〜１−（ＣＨ（Ｒ３）ＣＨ２Ｏ）１〜５０−Ｒ４；（ＣＨ２）１〜１８−（ＯＣＨ２ＣＨ（Ｒ３））０〜４０−ＮＲ５Ｒ６及び−（ＣＨ２）１〜１８−（ＯＣＨ２ＣＨ（Ｒ３））０〜４０−ＮＲ５Ｒ６Ｒ７（式中、Ｒ３はＨ又はＣ１〜Ｃ４アルキルであり、Ｒ４はＲ１及びＲ２で定義されたものと同一の基から選択され、Ｒ５、Ｒ６及びＲ７はＨ、Ｃ１〜Ｃ１８アルキル、Ｃ６〜Ｃ１２アリール、Ｃ７〜Ｃ２４アルカリール又はアラルキル、糖、スルホアルキル、ジスルホアルキル、スルホアリール、スルフィノアルキル、及びスルホネート基及びスルフィネート基の双方で置換されたアルキルから成る群から選択される）；任意選択的にＲ１及びＲ２は共に環状構造を形成でき、このような環状基の非限定例は−（ＣＨ２）５−又は−（ＣＨ２）２−Ｏ−（ＣＨ２）２−基である；
Ｒ８はＲ１及びＲ２で定義された同一の基から選択される；並びに
Ｒ１５はＣ１〜Ｃ１８アルキレン、Ｃ６〜Ｃ１２アリーレン、
−（ＣＨ２）１〜１８−Ｏ（ＣＨ２ＣＨ（Ｒ３）Ｏ）１〜５０−（ＣＨ２）１〜１８−、−（ＣＨ２ＣＨ（Ｒ３）Ｏ）１〜５０−（ＣＨ２ＣＨ（Ｒ３））−、及び−（ＣＨ（Ｒ３）ＣＨ２Ｏ）１〜５０−（ＣＨ２ＣＨ（Ｒ３））（式中、Ｒ３はＨ又はＣ１〜Ｃ４アルキルである）から成る群から選択される。
【００１９】
Ｒ１、Ｒ２、Ｒ３、Ｒ４、Ｒ５、Ｒ６、Ｒ６、及びＲ８について上記で記載される好ましい実施形態に加えて、Ｒ１５はＣ１〜１２アルキレン、−（ＣＨ２）２〜５−Ｏ（ＣＨ２ＣＨ（Ｒ３）Ｏ）１〜３０−（ＣＨ２）２〜５−、−（ＣＨ２ＣＨ（Ｒ３）Ｏ）１〜３０−（ＣＨ２ＣＨ（Ｒ３））−又は−（ＣＨ（Ｒ３）ＣＨ２Ｏ）１〜３０−（ＣＨ２ＣＨ（Ｒ３））（式中、Ｒ３はＨ又はＣＨ３である）であるのが好ましい。
【００２０】
なおさらに別の実施形態では、本発明のポリアスパルテート誘導体は、次の式を有する架橋オリゴマー又はポリマーの形態である：
【化５】
2004537627.tif 000006
式中、Ｒ１３を除く全ての変数は上記で定義された通りである。
【００２１】
Ｒ１３は次のものである：
【化６】
2004537627.tif 000007
ポリアスパルテート誘導体が、架橋オリゴマー及び／又はポリマーの形態である場合、架橋のレベルは不溶性ポリマーの形成を招くほどではない。ポリアスパルテート誘導体に好適な架橋レベルは架橋ポリアスパルテート誘導体の分子量に依存するが、それは、当該技術分野において既知であるように、分子量が増加するにつれて不溶性物質を得るのに必要とされる架橋の頻度（全反復単位に対するもの）が減少するためである。理論に拘束されることを望まないが、元々のポリマー分子あたり１架橋によってダイマーを与えることができ、元々のポリマー分子あたり２架橋では真に架橋しているわけではないが完全に連結した構造を与えることができる。１分子あたり２を越えるレベルにすると理論的には真に架橋したものが生成し始め、それによって溶解性が失われ得る。それ故に本発明の架橋ポリアスパルテート誘導体は好ましくは、変性前の各ポリスクシンイミド分子について２未満の架橋を有する。あるいは溶解性特性に基づいて、本発明の架橋ポリアスパルテート誘導体の架橋レベルは、１グラムの架橋ポリアスパルテート誘導体を室温でよく攪拌されたｐＨを９に緩衝した水１００ｍｌ部に入れ、温度を１時間かけて除々に６０℃まで上げ、さらに１時間その温度を保持する場合に、架橋ポリアスパルテート誘導体が少なくとも５０％溶解する程度である。
【００２２】
上記で列挙した各構造について、ポリアスパルテート誘導体は末端基を持たない環状ポリマーを含んでいてもよいが、ほとんどのものについては末端基は「元々の」ポリアスパルテート末端基、すなわちアミノ及びカルボキシレート又はジカルボキシレートであるか、「通常の」末端基が他の一官能性「キャップ」モノマーと反応して形式上得られる末端基のいずれかである。これには、オレイン酸、安息香酸、２−エチルヘキサン酸及びエトキシル化モノカルボキシレート（例えば、ＣＨ３（ＯＣＨ２ＣＨ２）ｎＯＣＨ２ＣＯＯＨ）を含むがこれらに限定されない疎水性又は親水性モノカルボキシレートと反応する通常のアミノ末端基から形成されるアミドが含まれる。また、オレイルアミン、ドデシルアミン、ベンジルアミン、及びエトキシル化一級又は二級アミン（例えば、ジェファミン（Jeffamine）Ｍシリーズ（ハンツマン（Huntsman））及びＣＨ３ＮＨ（ＣＨ２ＣＨ２Ｏ）ｎＣＨ３）を含むがこれらに限定されない親水性又は疎水性の一級又は二級モノアミンと反応する通常のカルボキシレート又はジカルボキシレート末端から形成されるアミド又はイミドも含まれる。
【００２３】
既知の技術のいずれか、例えば溶液（水性又は溶媒）、エマルション、溶媒交換、又は懸濁重合、及び／又は重合後変性を本発明のポリアスパルテート誘導体の製造に使用してもよい。重合反応は、共供給、ヒール（heel）、半連続又は連続プロセスとして行うことができる。ポリアスパルテート誘導体は、重合を行うのに使用される具体的な方法によってランダム又はブロックポリマーであってもよい。ポリアスパルテート誘導体は、溶液形態、例えば水性又は有機溶媒溶液形態で使用されてもよく、固形材料として、例えばスプレー乾燥によって単離されて、顆粒又は粒子の形態で使用されてもよい。
【００２４】
（合成例）
次の合成例では、本発明のポリアスパルテート誘導体又はその前駆体を製造する方法の非限定例を説明する。
【００２５】
Ｉ．（ポリスクシンイミドの調製）
ａ．（プロピレンカーボネート中でのポリスクシンイミドの調製）
磁気攪拌棒、温度計、水除去冷却器及び無水窒素ガスを導入するポートを備えた攪拌された反応器フラスコに、プロピレンカーボネート（１５ｇ、０．１４７ｍｏｌ、アルドリッチ）を入れる。次いでリン酸（３ｇ、８５％、０．０２６ｍｏｌ、アルドリッチ）を添加し、Ｌ−アスパラギン酸（３ｇ、０．０２２５ｍｏｌ、アルドリッチ）を攪拌しながら添加する。フラスコに窒素ガスを流し始め、反応混合物の温度を約１８０℃まで上昇させ、約２時間攪拌し続けてその温度を維持する。均一反応混合物が形成する。この時点で反応混合物を室温まで冷却し、生成物を約２５０ｍｌのアセトンで粉砕する。沈殿物をろ過により回収し、次いで水、さらにアセトンで洗浄する。得られた固形物を真空下、約６０℃で約１時間乾燥し、所望のポリスクシンイミドを得る。
【００２６】
ｂ．（溶媒を使用しないポリスクシンイミドの調製）
１リットルの丸底フラスコにＬ−アスパラギン酸（１３３．１ｇ、１ｍｏｌ、アルドリッチ）及び８５％のリン酸（７０．０ｇ、０．６１ｍｏｌ、アルドリッチ）を入れる。フラスコを真空エバポレーターに置き、除々に塊になるように絶えず回転させながら２００ｍｍＨｇ（２７ｋＰａ）の減圧下にて３時間以内で１４０℃まで加熱する。次いで塊が固形物になるまでの間に、温度を３時間かけて１８５℃に上昇させる。次いでその固形物を５ｍｍＨｇ（０．７ｋＰａ）の減圧下にて１８５〜１９５℃で１０時間反応に供し、室温まで冷却して、次いでそれを粉砕して粉末として粗ポリスクシンイミドを再生する。次にその粉末と、３００ｇのイソプロピルアルコールを８０℃に加熱された反応器内で１時間攪拌し、リン酸を抽出する。次いでこの混合物を室温まで冷却し、固形物をフィルター上に回収し、１００ｇのＩＰＡで洗浄した。この抽出及び洗浄操作を１０回繰り返す。得られた物質を乾燥して９６．９ｇの所望のポリスクシンイミドを得る。
【００２７】
ＩＩ．（ポリアスパルテート誘導体の調製）
ａ．（親水性基及び疎水性基の双方で変性されたポリアスパルテートの調製）
ポリスクシンイミドの９．７ｇ（０．１０当量）部を３０ｇのジメチルホルムアミドに溶解させ、次いでジェファミンＭ−２０７０（１０ｇ、０．００５ｍｏｌ、アルコキシル化モノアミン）をベンジルアミン（２．１４ｇ、０．０２ｍｏｌ）と共に添加し、この混合物を温度を６０℃まで上げながら攪拌し、その温度を約１８時間保持する。ＤＭＦ溶媒を８０℃で１ｍｍＨｇ（０．１３ｋＰａ）にてクーゲルロール（kugelrohr）で除去する。残渣を５０ｍｌの水に取り、６．４ｇ（０．０８ｍｏｌ）の５０％ＮａＯＨ溶液を攪拌しながら除々に添加する。この系を室温で２４時間攪拌し、次いで希釈塩酸でｐＨ８に調整する。溶液を凍結乾燥して、ベンジルアミド及びアルコキシル化アミドペンダント基の双方を有する所望の変性ポリアスパルテートを得る。
【００２８】
ｂ．（ポリスクシンイミドを単離せず、水を溶媒として使用するポリアスパルテート誘導体の調製）
Ｌ−アスパラギン酸（１３．３ｇ、０．１ｍｏｌ、アルドリッチ）、ベンジルアミン（１．０７ｇ、０．０１ｍｏｌ、アルドリッチ）、エトキシエトキシエトキシプロピルアミン（１．９１ｇ、０．０１ｍｏｌ、ケム・サービス社（Chem.Service,Inc.））、８５％のリン酸（１．７６ｇ、０．０１５ｍｏｌ）及び水（１８ｇ、１ｍｏｌ）を、１０００ｐｓｉ（７０００ｋＰａ）の窒素ガス下に配置されたロッキングオートクレーブ中の開放ガラスライナーに入れる。加圧された窒素を開放し、次いで系を１０００ｐｓｉ（７０００ｋＰａ）に再加圧して１８０℃まで加熱する。温度を９０分間維持し、次いで室温まで低下させる。圧力を慎重に大気圧まで下げる。ライナーの内容物を水洗浄を用いて取り除く。この系のｐＨを、よく攪拌しながら水酸化ナトリウムを加えて９に調整する。得られた溶液を凍結乾燥して親水性及び疎水性ペンダント基の双方を有する水溶性ポリアスパルテートを得る。
【００２９】
ｃ．（残留スクシンイミド基を有する水溶性ポリアスパルテート誘導体の調製）
ポリスクシンイミドの９．７ｇ（０．１０当量）部を３０ｇのジメチルホルムアミドに溶解させ、次いでジェファミンＭ−２０７０（１０ｇ、０．００５ｍｏｌ、アルコキシル化モノアミン）をベンジルアミン（２．１４ｇ、０．０２ｍｏｌ）と共に添加し、この混合物を温度を６０℃まで上げながら攪拌し、その温度を約１８時間保持する。ＤＭＦ溶媒を８０℃で１ｍｍＨｇ（０．１３ｋＰａ）にてクーゲルロール（kugelrohr）で除去する。残渣を５０ｍｌの水に取り、３．２ｇ（０．０４ｍｏｌ）の５０％ＮａＯＨ溶液を攪拌しながら除々に添加する。この系を室温で２４時間攪拌し、次いで希釈塩酸でｐＨ７．５に調整する。溶液を凍結乾燥してベンジルアミド及びアルコキシル化アミドペンダント基、並びに残留スクシンイミド基を有する所望の変性ポリアスパルテートを得る。
【００３０】
ｄ．（初期の陽イオン特性と残留スクシンイミド基を有する水溶性又は水分散性ポリアスパルテート誘導体の調製）
ポリスクシンイミド９．７ｇ（０．１０当量）部を３０ｇのジメチルホルムアミドに溶解させ、次いで３−ジメチルアミノプロピルアミン（３．０６ｇ、０．０３ｍｏｌ）を添加し、この混合物を温度を６０℃まで上昇させながら攪拌し、約３時間その温度を維持する。次いで溶液を室温まで冷却し、余分のメチルブロミドを焼結注入管によって溶液にゆっくりバブリングする。次いでＤＭＦ溶媒を８０℃、１．０ｍｍＨｇ（０．１３ｋＰａ）のクーゲルロール（kugelrohr）装置から取り除き、トリメチルアンモニオプロピルアミドペンダント基及び残留スクシンイミド基を有するほぼ水溶性の陽イオン性ポリアスパルテート誘導体を得る。
【００３１】
ｅ．（親水性基及び疎水性基の双方で変性された部分架橋ポリアスパルテートの調製）
ポリスクシンイミドの９．７ｇ（０．１０当量）部を３０ｇのジメチルホルムアミドに溶解させ、次いでジェファミンＭ−２０７０（１０ｇ、０．００５ｍｏｌ、アルコキシル化モノアミン）をベンジルアミン（２．１４ｇ、０．０２ｍｏｌ）及びジェファミンＥＤ−２００３（２．１ｇ、０．００１ｍｏｌ、ハンツマン（Huntsman）、アルコキシル化ジアミン）と共に添加し、この混合物を温度を６０℃まで上げながら攪拌し、その温度を約１８時間保持する。ＤＭＦ溶媒を８０℃で１ｍｍＨｇ（０．１３ｋＰａ）にてクーゲルロール（kugelrohr）で除去する。残渣を５０ｍｌの水に取り、６．４ｇ（０．０８ｍｏｌ）の５０％ＮａＯＨ溶液を攪拌しながら除々に添加する。この系を室温で２４時間攪拌し、次いで希釈塩酸でｐＨ８に調整する。ほぼ透明な溶液を凍結乾燥してベンジルアミド及びアルコキシル化アミドペンダント基の双方を有する所望のわずかに架橋した変性ポリアスパルテートを得る。
【００３２】
（洗濯用洗剤組成物）
本発明のポリアスパルテート誘導体は、好ましくは１以上の追加的な添加成分と共に１以上の洗濯用洗剤組成物中に組み込まれる。これらの１つ以上の追加的な添加成分はポリアスパルテート誘導体が組み込まれる組成物のタイプ及び／又は洗濯用洗剤組成物の使用のタイプに従って決定される。
【００３３】
ポリアスパルテート誘導体を、強力洗剤組成物、布地ケア組成物（布地コンディショナーを除く）及び乾燥機添加組成物を含むがこれらに限定されない一連の種々の組成物及び／又は製品に組み込むことができる。これらの組成物及び／又は製品は当該技術分野における当業者に既知のいずれの形態であってもよい。例えば、組成物及び／又は製品は液体、顆粒、粉末、錠剤、ペースト、発泡体及び棒状物であってよい。これらの組成物及び／又は製品は、そのまま、もしくは織布又は不織布単繊維基材のような基材に放出可能な状態で吸収されても、又は吸着されてよい。
【００３４】
本発明の好ましい洗濯用洗剤組成物は次を含む：
（ａ）界面活性剤、好ましくは約１重量％〜約８０重量％の少なくとも１つの陰イオン性、非イオン性、陽イオン性、両性、又は双極性界面活性剤及びこれらの混合物；
（ｂ）ポリアスパルテート誘導体、好ましくは約０．００１重量％〜約５０重量％、より好ましくは約０．００５重量％〜約２０重量％、さらにより好ましくは約０．０１重量％〜約１０重量％のポリアスパルテート誘導体；及び
（ｃ）任意選択的に残部としての添加成分。
【００３５】
（添加成分）
ポリアスパルテート誘導体に加えて、一以上の添加成分を、ポリアスパルテート誘導体を含む組成物、製品及び／又はシステムに任意であるが好ましくは包含してよい。
【００３６】
好適な添加成分の例には、米国特許第５，７０５，４６４号、同第５，７１０，１１５号、同第５，６９８，５０４号、同第５，６９５，６７９号、同第５，６８６，０１４号及び同第５，６４６，１０１号に記載されるような界面活性剤、ビルダー、漂白剤、漂白剤活性化剤、漂白剤触媒、酵素、酵素安定化システム、キレート剤、光学的光沢剤、汚れ放出ポリマー、染料転写剤、分散剤、泡抑制剤、染料、香料、着色剤、充填剤塩、ヒドロトロープ、光活性化剤、蛍光剤、布地コンディショナー、防腐剤、酸化防止剤、収縮防止剤、皺防止剤、抗菌剤、殺菌剤、殺真菌剤、カラースペックル（color speckles）、シルバーケア（silvercare）、変色防止剤及び／または腐食防止剤、アルカリ性供給源、可溶化剤、キャリア、加工助剤、顔料及びｐＨ制御剤が挙げられるが、これらに限定されない。具体的な洗浄添加材料は、以下に詳細に例示される。
【００３７】
（本発明の方法）
布地が処理されるように布地を本発明に従う洗濯用洗剤組成物と接触させる工程を含む布地を処理（すなわち染みの除去、増白化）する方法。
【００３８】
（処理された布地）
処理された布地は、本発明の方法によって得られる。
【００３９】
（製品／使用説明書）
本発明はまた、本明細書に記載される洗濯用洗剤組成物の使用説明書を、洗濯用洗剤組成物を含有するパッケージ又は洗濯用洗剤組成物の販売又は使用に関連する他の広告形態と共に包含することも含む。説明書は、消費製品の製造業者又は供給会社によって通常使用されるいずれかの方式で含むことも可能である。例としては、システム及び／又は組成物を保持する容器に貼付されるラベル上；容器に貼付されるか又は購入時に渡されるシート上；あるいは洗濯用洗剤組成物の購入又は使用につながる可能性のある、広告、実演、及び／又はその他の文章によるか口頭による説明、における説明書の提供が挙げられる。
【００４０】
具体的には、説明書は洗濯用洗剤組成物の使用説明を含む。説明書には、例えば、浸漬又は摩擦が布地に対して適切である場合に布地に適用される洗濯用洗剤組成物の推奨される量；もしあれば処理の前及び後に布地に適用する水の推奨される量；その他の推奨される処理に関する情報が追加的に包含されてもよい。
【００４１】
洗濯用洗剤組成物は製品に組み込まれてよく、この製品は洗濯用洗剤組成物を含むキットであってもよい。それ故に製品は本発明の洗濯用洗剤組成物を含み、さらに製品は洗濯用洗剤組成物を用いて処理の必要な布地を処理するための説明書を含む。
【００４２】
ポリアスパルテート誘導体を使用してよい好適な製品及び／又は組成物の非限定的な例は、顆粒、粉末、ペースト、発泡体、錠剤、くぼみのある錠剤、棒状物、スプレー、液体、乾燥機添加形態、含浸シート、コーティングシ−ト、ジェルなどの当該技術分野において当業者に既知のいずれの製品形態であってよい。ポリアスパルテート誘導体を使用してもよい製品及び／又は組成物としては、強力液体組成物（プロクター・アンド・ギャンブル社（Procter & Gamble Company）から市販されているＴＩＤＥ）、強力顆粒又は粉末組成物（すなわち、プロクター・アンド・ギャンブル社から市販されているＴＩＤＥ）、布地処理組成物（すなわち、プロクター・アンド・ギャンブル社から市販されているＤＲＹＥＬ）、及び布地コンディショナー以外の布地ケア組成物が挙げられるが、これらに限定されない。
【実施例】
【００４３】
（実施例１）
いくつかの強力顆粒洗濯及び／又は布地ケア組成物（布地コンディショナーを除く）を本発明に従う種々のポリアスパルテート誘導体を含むように調製する。これらの顆粒洗濯及び／又は布地ケア組成物（布地コンディショナーを除く）全ては次の基本的な配合を有する：
【表１】
2004537627.tif 000008
（実施例２）
本発明に従う強力水性液体洗剤組成物を次のように二区画容器に調製する（二区画容器は第１区画生成物と第２区画生成物の重量比が好ましくは４：１となるように設計されている）：
【表２】
2004537627.tif 000009
本発明の特定の実施形態について記載したが、本発明の精神及び範囲から逸脱することなく、本発明の様々な変更及び修正を実施できることは当業者には明らかである。本発明の範囲内にあるそのようなすべての修正形態は、添付の特許請求の範囲において補うものとする。
【００４４】
本発明の組成物は、配合者によって選択されるいかなる方法によっても好適に調製が可能であり、それらの非限定例は、米国特許第５，６９１，２９７号（ナサノ（Nassano）ら、１９９７年１１月１１日発行）；米国特許第５，５７４，００５号（ウェルチ（Welch）ら、１９９６年１１月１２日発行）；米国特許第５，５６９，６４５号（ディニウェル（Dinniwell）ら、１９９６年１０月２９日発行）；米国特許第５，５６５，４２２号（デル・グレコ（Del Greco）ら、１９９６年１０月１５日発行）；米国特許第５，５１６，４４８号（カペシ（Capeci）ら、１９９６年５月１４日発行）；米国特許第５，４８９，３９２号（カペシ（Capeci）ら、１９９６年２月６日発行）；米国特許第５，４８６，３０３号（カペシ（Capeci）ら、１９９６年１月２３日発行）に記載されており、それらのすべてを参考として本明細書に組み込む。
【００４５】
上記の例に加えて、本発明の洗浄組成物はいずれかの好適な洗濯用洗剤組成物に配合することができ、非限定的な例が米国特許第５，６７９，６３０号（バエク（Baeck）ら、１９９７年１０月２１日発行）；米国特許第５，５６５，１４５号（ワトソン（Watson）ら、１９９６年１０月１５日発行）；米国特許第５，４７８，４８９号（フレッジ（Fredj）ら、１９９５年１２月２６日発行）；米国特許第５，４７０，５０７号（フレッジ（Fredj）ら、１９９５年１１月２８日発行）；米国特許第５，４６６，８０２号（パナンディカー（Panandiker）ら、１９９５年１１月１４日発行）；米国特許第５，４６０，７５２号（フレッジ（Fredj）ら、１９９５年１０月２４日発行）；米国特許第５，４５８，８１０号（フレッジ（Fredj）ら、１９９５年１０月１７日発行）；米国特許第５，４５８，８０９号（フレッジ（Fredj）ら、１９９５年１０月１７日発行、米国特許第５，２８８，４３１号（フーバー（Huber）ら、１９９４年２月２２日発行）に記載されており、全てを参考として本明細書に組み込む。
【００４６】
本発明について好ましい実施形態及び実施例を参照して詳細に記載したが、本発明の範囲内から逸脱することなく、多様な変更及び修正をし得ることは当業者にとって明白であり、本発明は本明細書に記載されているものに制限されると考慮すべきではない。
【国際公開パンフレット】
2004537627.tif 000016
2004537627.tif 000017
2004537627.tif 000018
2004537627.tif 000019
2004537627.tif 000020
2004537627.tif 000021
2004537627.tif 000022
2004537627.tif 000023
2004537627.tif 000024
2004537627.tif 000025
2004537627.tif 000026
2004537627.tif 000027
2004537627.tif 000028
2004537627.tif 000029
2004537627.tif 000030
2004537627.tif 000031
2004537627.tif 000032
2004537627.tif 000033
2004537627.tif 000034
2004537627.tif 000035
2004537627.tif 000036
2004537627.tif 000037
【国際調査報告】
2004537627.tif 000038
2004537627.tif 000039